(57)【要約】【課題】装着時に違和感が少なく、無理なくスムーズな膝の動きができ、膝の運動安定性を向上することができる足被覆体を提供する。【解決手段】本発明の足被覆体は、足首部、甲部及び底部を備えた足部体と、一方が前記足部体の外果部付近に固定され、小指側の立方骨から第５中足骨の頭の間に相当する外側部を通り、他方が底部に固定された連絡体を有している。この連絡体が、遊脚期の足関節の回外度を抑制することで、脛骨の外旋度を小さくし、膝蓋骨にはたらく膝の外側方向の力を抑制して、膝蓋骨の不安定さを抑えることにより、膝の運動安定性を向上させる。【選択図】  図１
2005152402.tif 000002
【特許請求の範囲】
【請求項１】
足首部、甲部及び底部を備えた足部体と、一方が前記足部体の外果部付近に固定され、小指側の立方骨から第５中足骨の頭の間に相当する外側部を通り、他方が底部に固定された連絡体を有する足被覆体。
【請求項２】
足首部、甲部及び底部を備えた足部体と、一方が前記足部体の内果部付近に固定され、親指側の舟状骨から第１中足骨の頭の間に相当する内側部を通り、他方が底部に固定された連絡体を有する足被覆体。
【請求項３】
前記連絡体は、伸縮性が低い部材であるか若しくは、足部体の部材よりも弾力性が高い部材である請求項１又は請求項２に記載の足被覆体。
【請求項４】
前記連絡体の両端固定部と足部体の固定部を面ファスナーとし、連絡体を足部体より着脱可能とした請求項１から請求項３のいずれかに記載の足被覆体。
【請求項５】
前記連絡体を、足部体の断面が一平面的になるように構成した請求項１から請求項３のいずれかに記載の足被覆体。
【請求項６】
前記足部体の足首部と甲部に、足首緊縮部と足甲緊縮部の一方又は双方を設けたことを特徴とする請求項１から請求項５のいずれかに記載の足被覆体。
【発明の詳細な説明】
【技術分野】
【０００１】
本発明は、歩行やジョギングなど足の動作に伴う膝の運動安定性向上に寄与する足被覆体に関する。
【背景技術】
【０００２】
膝関節に関し、従来技術として靴下などの底部に工夫をこらすことにより、脚の動きを制御して内反膝や関節炎の防止に役立てる靴下などがあった（例えば、特開２００１−２８８６０２号公報、実開昭６３−５０３１８号公報及び実開平５−３７２１８号公報参照）。
【０００３】
これら文献に記載の靴下などは、靴下の底部を内側と外側とで厚さを変え、足を内外に傾斜し向けるようにして、膝関節や脚部に影響を及ぼそうとするものである。
【０００４】
しかし、足は、常に支持体に接地しているのでなく、歩行の時は、一方の足が空中にある遊脚期と、支持体に接地する立脚期とを相互にくり返しながら前進をするものである（図１３参照）。
【０００５】
よって、これら文献に記載の靴下などは、立脚期には膝関節や脚部に作用して内反膝を矯正し、遊脚期には膝関節や脚部に作用せず矯正前の状態に戻るような動きをもたらすことになる。これでは足にかかる体重の移動により、急に靴下からの作用を受けることとなって、足関節や膝関節に急な動きをもたらし、膝が内外にぶれが生じることにもなって、逆に膝に負担がかかってしまうという問題があった。
【特許文献１】特開２００１−２８８６０２号公報
【特許文献２】実開昭６３−５０３１８号公報
【特許文献３】実開平５−３７２１８号公報
【発明の開示】
【発明が解決しようとする課題】
【０００６】
膝関節は、立つ・歩く・走るなど足の動作に伴って働き、体重を支える荷重関節であるため、身体運動によるストレスが加わりやすい。また、内反膝や外反膝に見られる大腿骨の軸と脛骨の軸との交差角度の度合い（図１４参照）によっても、膝にストレスが加わりやすくなる。
【０００７】
膝関節は、大腿骨の下端と脛骨の上端及び膝蓋骨から形成されており、内・外側副靱帯と前・後十字靱帯とが安定性を保つ働きをし、屈伸の際には、膝蓋骨が大腿骨の遠位前面を滑走することで関節の働きを助けている。
【０００８】
しかし、膝蓋骨の外側は安定していない。それは、大腿四頭筋は大腿骨幹に沿いながら走行しており、大腿四頭筋腱は脛骨に対して垂直に停止するため、大腿筋が収縮すると膝蓋骨に対し外側方向に力がかかることになる。また、脛骨が外旋すると膝蓋骨は、大腿四頭筋の腱に斜位の力が働く結果、膝蓋骨に対する外側方向の力が加わることとなって（図１５参照）、不安定度が増すことになる。そして、この膝蓋骨の不安定は、膝関節の不安定にも繋がることになる。
【０００９】
本発明は、膝に対する矯正が、足の接地時のみにしか働かず、かえって膝に負担がかかってしまうという従来技術の問題を解決するためになされたものであり、かつ、膝蓋骨の動きに注目して、膝の運動安定性向上という新しい課題を解決するためになされたものである。よって、本発明の目的は、装着時に違和感が少なく、無理なくスムーズに足や膝を動かすことができ、膝の運動安定性を向上させることができる足被覆体を提供することにある。
【課題を解決するための手段】
【００１０】
本発明の請求項１に記載の足被覆体は、足首部、甲部及び底部を備えた足部体と、一方が前記足部体の外果部付近に固定され、小指側の立方骨から第５中足骨の頭の間に相当する外側部を通り、他方が底部に固定された連絡体を有している。
【００１１】
このような構成にすることにより、足被覆体は、内反膝に対し脛骨の外旋度合いを小さくさせる働きをする。それにより、膝蓋骨の外側へ加わる力を和らげ、膝関節の安定をもたらすことができる。
【００１２】
そのメカニズムは、歩行運動の立脚期の踏み切り時に足関節の伸展が行われ、足が支持体から離れた後、次の動作である立脚期へ移行のための足関節の屈曲運動を開始する間、片足は宙に浮いた状態の遊脚期にあり、その間足は伸展・内転・回外の状態にあり、脛骨も足関節の機構により外旋状態となる（図１３及び図１６参照）。
【００１３】
上記記載のように足被覆体の連絡体を、一方が前記足部体の外果部付近に固定し、小指側の立方骨から第５中足骨の頭の間に相当する外側部を通り、他方が底部に固定するように構成することで、足関節の回外度合いが大きくなった時に、小指側を吊るように働かせ、遊脚期における足部の回外の度合いを和らげようとするもので、その作用によって脛骨の外旋度合いも小さくすることができ、その結果膝の運動安定性が向上するものである。
【００１４】
また、連絡体は、無理に足関節を制限するものではなく、連絡体自身の弾力性や足部体の弾力性などの柔軟性によって、無理なくスムーズに足や膝を動かすことができるものである。
【００１５】
また、本発明の請求項１に記載の足被覆体は、上記連絡体を備えることを可能とする足首部、甲部及び底部を備えた足部体があればよく、脚部などの形態は問わないので、足用サポーター、靴下、足袋、ソックス、ハイソックス、ストッキング、タイツ及びパンティストッキングのいずれの形態であっても差し支えなく、これらを含むものである。
【００１６】
本発明の請求項２に記載の足被覆体は、足首部、甲部及び底部を備えた足部体と、一方が前記足部体の内果部付近に固定され、親指側の舟状骨から第１中足骨の頭の間に相当する内側部を通り、他方が底部に固定された連絡体を有している。
【００１７】
このような構成にすることにより、足被覆体は、外反膝に対し脛骨の外旋度合いを大きくさせる働きをする。それにより、膝蓋骨の外側へ加わる力を強め、大腿骨と脛骨の軸による膝を中心とした外方に対する角度が１８０度に近づくようになり、膝関節の安定をもたらすことができる。
【００１８】
また、本発明の請求項２に記載の足被覆体についても、上記連絡体を備えることを可能とする足首部、甲部及び底部を備えた足部体があればよく、脚部などの形態は問わないので、足用サポーター、靴下、足袋、ソックス、ハイソックス、ストッキング、タイツ及びパンティストッキングのいずれの形態であっても差し支えなく、これらを含むものである。
【００１９】
本発明の請求項３に記載の足被覆体は、連絡体を伸縮性が低い部材若しくは、足部体の部材よりも弾力性が高い部材で構成する。
【００２０】
連絡体をこのような部材にすることにより、遊脚期における足部の回外の度合いを和らげる働きをすることが可能となる。また、足部の回外に大きな力が加わった時においても、連絡体が機能し、過度の回外を抑制することができる。
【００２１】
本発明の請求項４に記載の足被覆体は、連絡体の両端固定部と足部体の固定部を面ファスナーとし、連絡体を足部体より着脱可能となるように構成する。
【００２２】
足被覆体をこのような構成にすることにより、連絡体の機能を必要としないときも足被覆体を脱がなくて済み、別の足被覆体と取り替えなくてもよい。
【００２３】
本発明の請求項５に記載の足被覆体は、連絡体を足部体の断面が一平面的になるように構成する。
【００２４】
このような連絡体にすることにより、足部体から連絡体が突起することによって、足の裏に感じる違和感を無くすることができる。
【００２５】
本発明の請求項６に記載の足被覆体は、足部体の足首部と甲部に、足首緊縮部と足甲緊縮部の一方又は双方を設けた構成とする。
【００２６】
このように足首緊縮部を足被覆体に設けることによって、足部体が下にずり落ちることを防止し、足首と足部体に一体感を持たせることができ、足甲緊縮部を設けることによって、足の甲及び土踏まずと足部体に一体感を持たせることができる。
【発明の効果】
【００２７】
本発明は、本発明の足被覆体を使用することによって、内反膝（Ｏ脚）に対しては、遊脚期の足関節の回外度を抑制することで、脛骨の外旋度を小さくし、膝蓋骨にはたらく膝の外側方向の力を抑制して、膝蓋骨の不安定さを抑えることにより、膝関節を安定させることができる。つまりは、膝が外側に向きやすい内反膝に対して、外側に向かう力を抑えて、膝関節の屈伸運動における膝を進行方向へ真っ直ぐに向けやすくして、膝の運動安定性を向上させるものである。そして、膝を進行方向に真っ直ぐに向けることにより、体重移動が進行方向に移動しやすく、膝に対して左右の余計な動きを軽減することができ、靱帯の負担も少なくて済み、ケガの予防にも役立つものである。
【００２８】
また、立脚期の足関節屈曲時において、連絡体は何等作用を及ぼさず、立脚期の踏み切り時の足関節伸展においても、足部体の柔軟性によって連絡体の作用の影響はほとんど受けず、そして、遊脚期に連絡体が足関節の回外を抑制するように働き、次の立脚期に向けて屈曲運動へとスムーズに移行することが可能となる。よって、足に対して外部から無理な力が加わることがないので、足関節も膝関節も無理なくスムーズに自然な動きをとることができる。
【００２９】
また、足関節の過度の伸展を抑制することにより、立脚期における踵接地時の足関節の屈曲度が大きくなりやすくなり、爪先が上に向くことによって、体重移動がスムーズに行われ、全身の運動性をも向上することができる。
【００３０】
外反膝（Ｘ脚）に対しては、本発明の足被覆体を使用することによって、遊脚期に足関節の回外を促す働きをし、脛骨の外旋を促すことによって、膝蓋骨に外方向への力がはたらいて、大腿骨と脛骨が直線的になる方向へと膝が向きやすくなることにより、膝関節を安定させることができる。つまり、大腿骨と脛骨の交差角度を少なくして直線的になるように作用させることによって、膝の運動安定性を向上させることができるものである。
【００３１】
また、立脚期の足関節屈曲時において、連絡体は何等作用を及ぼさず、立脚期の踏み切り時の足関節伸展においても、足部体の柔軟性によって連絡体の作用の影響はほとんど受けない。そして、遊脚期に連絡体が足関節の回外を促するように働き、次の立脚期の踵接地時に踵の外側から接地しやすくなって、足のあおり動作をスムーズに行うことが可能となる。よって、足に対して外部から無理な力が加わることがないので、足関節も膝関節も無理なくスムーズに自然な動きをとることができる。
【００３２】
また、足関節の回外作用により、親指側にかかる体重の荷重を少し外側に移すことができ、これにより外反母趾を和らげることができる。
【００３３】
また、内反膝の場合は足関節の過度の回外を、外反膝の場合は足関節の過度の回内を抑制するように働くので、捻挫の防止にも役立てることができる。
【発明を実施するための最良の形態】
【００３４】
以下、図１〜図１４を用いて、本発明の実施の形態について説明する。
【００３５】
（実施の形態１）まずは図１〜図６を用いて、実施の形態１について説明する。図１は、本発明の実施の形態１における足被覆体１１を側面と底面から見た図。図２は、足被覆体１１を足に装着した時に、足の側面の骨格と連絡体１３の位置関係を解りやすく表した図。図３は、連絡体１３の底部１２ｃへの固定状態を表した図。図４は、連絡体１３が小指側の外側から螺旋状に支えているように固定されていることを表した部分断面図。図５は、足部体１２と連絡体１３の固定状態を表した断面図。図６の（Ａ）は、足被覆体１１の作用を表した図である。また、図１は、足被覆体の一つの形態である靴下を表したものであり、靴下の中でもジョギングや各種スポーツで使用する運動用靴下を表したものであるが、しかし、実施の形態１の足被覆体１１が、運動用靴下に限定されるものではない。
【００３６】
この実施の形態１の足被覆体は、図１に示すように、足首部１２ａと甲部１２ｂと底部１２ｃとを備えた足部体１２と、はき口緊縮部１４、脚部１５、踵部１７、爪先部１９及び、足部体１２の外果部１６ｂ付近と底部１２ｃとを連絡する一つの連絡体１３とで構成している。
【００３７】
上記連絡体１３は、図１〜図４に示すように略帯状の形状をなし、その一方が足部体１２の外果部１６ｂ付近の表面に固定され、小指側の立方骨ｈから第５中足骨の頭ｐ２の間に相当する外側部１８ｂを通り、底部１２ｃを外果部１６ｂの方から吊るように、他方が底部１２ｃの表面に固定される。外果部１６ｂ側の連絡体１３の端は、連絡体１３の一部が外果部１６ｂ付近に固定されていれば、脚部１５側に延伸して固定されても差し支えない。また、底部１２ｃ側の端は、反対側の内側部１８ａ迄の底部に固定されるが、好ましくは、第４中足骨底部１２ｇから第２中足骨底部１２ｅ間に、より好ましくは、第４中足骨底部１２ｇから第３中足骨底部１２ｆ間に固定するのがよい（図３及び図４参照）。
【００３８】
また、連絡体１３の足部体１２への固定場所は、外果部１６ｂと底部１２ｃの両端の一部のみを固定してもよく、連絡体１３全体を足部体１２に固定してもよい。また、連絡体１３の足部体１２への固定方法を図１の足被覆体１１では縫着として表しているが、固定方法は、縫着、接着、粘着、熱圧着あるいは熱融着であっても差し支えない。
【００３９】
また、連絡体１３は、図４に示すように足に足被覆体１１を装着した時に、外側面を螺旋状（つる巻き線状）に巻くように足部体１２に固定される。それは、図１に示す脚部１５から足首部１２ａに繋がる縦の方向に、多少の曲線を描くが、そのまま底部まで沿うように固定することによって可能となる。
【００４０】
また、図１〜図３に示すように連絡体１３の両端の形態は、その連絡体１３の長手方向の辺に対し、略直角になるような短辺とする。それは、足関節の伸展によって連絡体の両端に引っ張りの力が働く時、短辺が長辺に対し傾きをもって足部体１２に固定された場合、足部体１２の弾力性により、その引っ張りの力が横方向に分散してしまい、足関節の回外運動の抑制する力が働きにくくなるのを防ぐためである。
【００４１】
また、連絡体１３の幅は、数ミリメートル（３ミリメートル程度）幅のひも状から足のサイズによるが５センチメートル乃至６センチメートル程度の幅まで許容され、好ましくは、１センチメートルの幅から４センチメートルの幅がよい。但し、連絡体１３を途中で扇形に開いた形にすると、足関節の伸展そのものを抑制してしまうことになり、効果を発揮しにくくなるので、連絡体１３はひも状若しくは帯状の形状とし、なるべく幅の変動が少ない方がよい。
【００４２】
また、連絡体１３の足部体１２への固定は、図５で示すように足部体の表面とするが、裏面でもよく、連絡体１３と重なる足部体１２の一部を欠いて連絡体１３を固定してもよく、或いは断面が平面的になるように連絡体１３を足部体１２に編み込んでもよい。
【００４３】
また、連絡体１３の材質は、絹・綿・麻・毛の単独或いは混合した天然繊維の布またはニット、ポリウレタン・ポリエステル・ナイロン・アクリル・テトロン・ビニロンの単独或いは混合した合成繊維の布又はニット、天然繊維と合成繊維とを混合した布またはニット、若しくは、弾力性を付与するために、ゴム糸或いはスパンデックス繊維を混合した上記布またはニット及び、天然皮革、合成皮革、天然ゴム、合成ゴム、ビニール、シリコン、ウレタンを挙げることができる。
【００４４】
また、連絡体１３の素材は、伸縮性が低い素材であるか若しくは、足部体１２の生地よりも弾力性が高い素材である。
【００４５】
この連絡体１３の素材特性をより具体的に示すために、下記の表１に今回の試験で得られた数値データを示す。
【００４６】
【表１】
2005152402.tif 000003
【００４７】
表１の数値データは、各試験片に１ｋｇと２ｋｇの引張力をかけ、そのひずみ度（伸びの割合）と、ひずみ度が１０％（長さ１５ｃｍの試験片が１．５ｃｍの引張ひずみを生じること）における引張力を求めたものである。
【００４８】
表１の数値データから、伸縮性が低い素材とは、１キログラムまたは２キログラムの引張力において、１０パーセント以下のひずみ度（伸び率）のものを示し、足部体１２の生地よりも弾力性が高い素材とは、ひずみ度（伸び率）が１キログラムまたは２キログラムの引張力において、ひずみ度（伸び率）が１０パーセントを超えるもので、等価ひずみ度（１０パーセント）における引張力が、足部体１２の生地と比較して高いものを示すものである。
【００４９】
よって、この実施の形態１の伸縮性が低い連絡体１２は、絶対的に引張ひずみ度が低いものと言い換えることができ、足部体１２の生地よりも弾力性が高い連絡体１３は、絶対的に引張ひずみ度が低くなく、等価ひずみ度における引張力が相対的に足部体１２の部材より高い部材であると言い換えることができる。
【００５０】
上記記載の連絡体１３を設けることにより、図６（Ａ）で示すように足首関節の回外の動きに際して、足部体１２の外果部１６ｂと底部１２ｃとの間の伸びを制限するような状態になることになる。そして、そのような状態をつくることによって、足関節の回外の度合いを抑制するような働きをもたらし、脛骨を内旋方向に向かわせて、つまりは、脛骨の外旋の度合いを小さくさせることによって膝蓋骨の安定を図り、膝の運動安定性向上をもたらすことが可能となる。
【００５１】
しかも、連絡体１３を足部体１２よりも伸縮性が低い素材や弾力性の高い素材とすることで、足部体１２の弾力性を利用して、足関節の伸展や自由な運動を妨げることがない。そして、連絡体１３を図５に示すように平面形態としているので、装着時の足裏の違和感も少なくてすみ、連絡体１３の引っ張り感は、足部体１２の弾力性などによって吸収されるので、足全体の装着感も違和感が少なくてすむ。また、足のどの部位にも大きな負担がかかることがないので、無理なくスムーズに自然な膝の動きをとることができ、膝の運動安定性向上を図ることができる。
【００５２】
また、足関節の過度の回外を制限するような働きをもたらすことができるので、足首の捻挫防止にも役立つものである。
【００５３】
（実施の形態２）次に図６の（Ｂ）及び図７を用いて、本発明の実施の形態２について説明する。図６（Ｂ）は、本発明の実施の形態２における足被覆体２１の作用を表した図。図７は、足被覆体２１を足に装着した時に、足の側面の骨格と連絡体の位置関係を解りやすく表した図である。また、図６（Ｂ）及び図７は、足被覆体の一つの形態である靴下を表したものであるが、しかし、実施の形態２の足被覆体２１が、靴下に限定されるものではない。
【００５４】
この実施の形態２の足被覆体２１は、図７に示すように、足首部２２ａと甲部２２ｂと底部２２ｃとを備えた足部体２２と、はき口緊縮部、脚部、踵部２７、爪先部２９及び、足部体２２の内果部26ａ付近と底部２２ｃとを連絡する一つの連絡体２３とで構成される（図７では、はき口緊縮部、脚部を省略）。そして、連絡体２３は、一方が前記足部体２２の内果部２６ａ付近の表面に固定され、親指側の舟状骨から第１中足骨の頭の間に相当する内側部２８ａを通り、底部２２ｃを内果部２６ａの方から吊るように、他方が底部２２ｃの表面に固定されている。
【００５５】
また、この連絡体２３の形態や固定方法などその他特徴は、実施の形態１に記載された連絡体１３に準じたものとしている。
【００５６】
このように連絡体２３を設けることにより、図６（Ｂ）に示すように足首関節の動きに関し、回外を促すような状態にすることができ、脛骨を外旋方向へと向かわせるような働きをする。そして、このような状態をつくることによって、外反膝に対する外側へ働く力が大きくなり、大腿骨と脛骨が直線的になる方向へと膝が向きやすくなって、膝関節の運動安定性の向上を図ることができる。
【００５７】
また、このような連絡体を設けることによって、足関節の回外作用を促すこととなり、親指側にかかる体重の荷重を少し小指側に移すことができるので、これにより外反母趾を和らげることができる。
【００５８】
（実施の形態３）次に図８を用いて、本発明の実施の形態３について説明する。図８は、本発明の実施の形態３における足被覆体３１を前方外側面から見た図である。また、図８は、足被覆体の一つの形態である足袋を表したものであるが、しかし、実施の形態３の足被覆体３１が、足袋に限定されるものではない。
【００５９】
この実施の形態３に示された連絡体３３は、図８に示すように略帯状の形状をなし、その一方が足部体３２の外果部３６ｂ付近の裏面に固定され、小指側の立方骨から第５中足骨の頭の間に相当する外側部３８ｂを通り、底部３２ｃを外果部３６ｂの方から吊るように、他方が底部３２ｃの裏面に固定される。
【００６０】
足被覆体３１をこのような構成にすることにより、外側より連絡体３３が見えなく又は見えずらくなり、シンプルな外観となる。また、足袋やパンティストッキングといった足被覆体（総称）は、外観の美的感覚を重要視するので、連絡体３３を足部体３２の裏面に設ける足被覆体３１が適す。
【００６１】
（実施の形態４）次に図９を用いて、本発明の実施の形態４について説明する。図９は、本発明の実施の形態４における足被覆体４１を側面と底面から見た図で、連絡体４３を着脱可能としたことを表した図である。また、図９は、足被覆体の一つの形態である靴下を表したものであるが、しかし、実施の形態４の足被覆体４１が、靴下に限定されるものではない。
【００６２】
この実施の形態４に示された連絡体４３は、足部体４２より着脱可能となるように、連絡体４３の両端に雄の面ファスナーを取り付け（４３ａ及び４３ｂ）、足部体の外果部４６ｂ付近と底部４２ｃに雌の面ファスナーが取り付けてある（４３ｃ及び４３ｄ）。これらの面ファスナーによって足部体４２に取り付けられた連絡体４３は、脚部４５から足首部４２ａに繋がる縦の方向に沿うように外果部４６ｂと底部４２ｃとに繋がれる。
【００６３】
この面ファスナーによって取り付けられた連絡体４３の機能は、足部体４２に直接固定した時の機能と同一であり、縫着などの固定方法による場合と同様の効果が得られる。
【００６４】
また、このように連絡体４３を着脱可能とすることによって、連絡体４３の機能が不必要な場合は、足被覆体４１を脱ぐ必要なく簡単に着脱でき、また、足関節の運動の感覚に合わせて底部４２ｃの引っ張りの強さも調節することができ、足の大きさなどの個人差に対応することができる。
【００６５】
（実施の形態５）次に図１０及び図１１を用いて、本発明の実施の形態５について説明する。図５は、本発明の実施の形態５における足被覆体５１を外側面から見た図。図１１は、実施の形態５における足被覆体５１のＺ１−Ｚ２断面を表した図である。また、図１０は、足被覆体の一つの形体である足用サポーターを表したものであるが、しかし、実施の形態５の足被覆体５１が足用サポーターに限定されるものではない。
【００６６】
この実施の形態５に示された足被覆体５１は、連絡体５３が伸縮性の低い部材であるか若しくは、足部体５２の部材よりも弾力性が高い部材で構成されている（詳細は実施の形態１に記載）。そして、この連絡体５３は、足部体５２に重ねて固定したものではなく、上記構成部材として足部体５２と一体的に編み込まれるか又は、連絡体５３が足部体５２と一平面的になるように突合せ縫いの縫着方法などによって、足部体５２と連絡体５３を連結している（図１１参照）。
【００６７】
このような連絡体５３にすることにより、足被覆体５１を足に装着した時、足裏に感ずる違和感がなくなる。また、足部体５２と連絡体５３の伸縮性の違いによるたわみや皺を防ぐことができる。
【００６８】
（実施の形態６）次に図１２を用いて、本発明の実施の形態６について説明する。図１２は、本発明の実施の形態６における足被覆体６１を外側面から見た図である。また、図１２は、足被覆体の一つの形体であるストッキングを表したものであるが、しかし、実施の形態６の足被覆体６１がストッキングに限定されるものではない。
【００６９】
この実施の形態６に示された連絡体６３は、外果部６６ｂより上方脚部６５側に長くなった形態で足被覆体６１に固定されている。
【００７０】
このような連絡体６３にすることにより、より多く足被覆体６１に固定されるので、足被覆体６１とより一体感が生まれる。
【００７１】
また、この実施の形態６に示された足被覆体６１は、足首部６２ａに足首緊縮部６０ａと甲部に足甲緊縮部６０ｂとが設けられている。
【００７２】
この足首緊縮部６０ａ及び足甲緊縮部６０ｂはゴム糸を施して足被覆体６１と一体的に編み込まれたものである。また、足部体６２より弾力性の高い部材を足首緊縮部材及び足甲緊縮部材に用いて、足首部６２ａ及び甲部６２ｂに固定してもよい。
【００７３】
このように足首緊縮部６０ａと足甲緊縮部６０ｂを足被覆体６１に設けることによって、足首と足被覆体６１と、足の甲及び土踏まずと足被覆体６１との一体感を持たせることができる。また、足首部６２ａの足首緊縮部６０ａは、足首部６２ａが下にずり落ちることを防止する役割も果たす。
【産業上の利用可能性】
【００７４】
本発明の足被覆体は、現在一般に広く使用されている足被覆体に連絡体を備えることによって、膝の運動安定性の向上が得られることから、通勤・通学などの歩行やジョギングなど一般的に広く利用されるものであり、特にスポーツの分野で貢献するものである。
【図面の簡単な説明】
【００７５】
【図１】本発明の実施の形態１における足被覆体を側面（Ａ）と底面（Ｂ）から見た図である。
【図２】本発明の実施の形態１における足被覆体と足の骨格とを外側面から表した図である。
【図３】本発明の実施の形態１における足被覆体を踵後方より底部を見た図である。
【図４】本発明の実施の形態１における足被覆体のＸ１−Ｘ２断面と足の骨格を背面から表した図である。
【図５】本発明の実施の形態１における足被覆体のＹ１−Ｙ２断面を表した図である。
【図６】図６の（Ａ）は、本発明の実施の形態１における足被覆体の作用を表した図である。図６の（Ｂ）は、本発明の実施の形態２における足被覆体の作用を表した図である。
【図７】本発明の実施の形態２における足被覆体と足の骨格とを内側面から表した図である。
【図８】本発明の実施の形態３における足被覆体を前方外側面から見た図である。
【図９】本発明の実施の形態４における足被覆体を側面（Ａ）と底面（Ｂ）から見た図及び、連絡体の着脱を表した図である。
【図１０】本発明の実施の形態５における足被覆体を外側面から見た図である。
【図１１】本発明の実施の形態５における足被覆体のＺ１−Ｚ２断面を表した図である。
【図１２】本発明の実施の形態６における足被覆体を外側面から見た図である。
【図１３】人の歩行運動の脚部期間を表した図である。
【図１４】内反膝（Ａ）と外反膝（Ｂ）を表した図である。
【図１５】膝蓋骨に加わる力を表した図である。
【図１６】膝関節の動きと足関節の動きを表した図である。
【符号の説明】
【００７６】
ａ 大腿骨、ｂ 膝蓋骨、ｃ 脛骨、ｃ１ 内顆、ｄ 腓骨、ｄ１ 外顆、ｅ 距骨、ｆ 踵骨、ｇ 舟状骨、ｈ 立方骨、ｉ 第１楔状骨、ｊ 第２楔状骨、ｋ 第３楔状骨、ｌ 第１中足骨、ｌ１ 第１中足骨の頭、ｍ 第２中足骨、ｎ 第３中足骨、ｏ 第４中足骨、ｐ 第５中足骨、ｐ１ 第５中足骨の粗面、ｐ２ 第５中足骨の頭、ｑ 基節骨、ｒ 中節骨、ｓ 末節骨。
１Ａ 支持体、１ａ 右足立脚期、１ａ１ 踵接地、１ａ２ 踏み切り、１ｂ 左足遊脚期、２ａ 立脚、２ｂ 遊脚、３ａ 膝関節伸展、３ｂ 膝関節屈曲、４ａ 膝関節内旋、４ｂ 膝関節外旋、５ａ 足関節屈曲（背屈）、５ｂ 足関節伸展（底屈）、６ａ 足関節回内、６ｂ 足関節回外、７ａ 足関節内転、７ｂ 足関節外転。
１１，２１，３１，４１，５１，６１ 足被覆体
１２，２２，３２，４２，５２，６２ 足部体
１２ａ，２２ａ，３２ａ，４２ａ，５２ａ，６２ａ 足首部
１２ｂ，２２ｂ，３２ｂ，４２ｂ，５２ｂ，６２ｂ 甲部
１２ｃ，２２ｃ，３２ｃ，４２ｃ，５２ｃ，６２ｃ 底部
１２ｄ 第１中足骨底部
１２ｅ 第２中足骨底部
１２ｆ 第３中足骨底部
１２ｇ 第４中足骨底部
１２ｈ 第５中足骨底部
１３，２３，３３，４３，５３，６３ 連絡体
４３ａ，４３ｂ 雄の面ファスナー
４３ｃ，４３ｄ 雌の面ファスナー
１４，４４，６４ はき口緊縮部
１５，４５，６５ 脚部
１６ａ，２６ａ 内果部
１６ｂ，３６ｂ，４６ｂ，５６ｂ，６６ｂ 外果部
１７，２７，３７，４７，６７ 踵部
１８ａ２８ａ 内側部
１８ｂ，３８ｂ，４８ｂ，５８ｂ，６８ｂ 外側部
１９，２９，３９，４９，６９ 爪先部
６０ａ 足首緊縮部
６０ｂ 足甲緊縮部
ａｃ１，ａｃ３ 足被覆体の直接作用
ａｃ２，ａｃ４ 足被覆体の間接作用
【図１】
2005152402.tif 000004
【図２】
2005152402.tif 000005
【図３】
2005152402.tif 000006
【図４】
2005152402.tif 000007
【図５】
2005152402.tif 000008
【図６】
2005152402.tif 000009
【図７】
2005152402.tif 000010
【図８】
2005152402.tif 000011
【図９】
2005152402.tif 000012
【図１０】
2005152402.tif 000013
【図１１】
2005152402.tif 000014
【図１２】
2005152402.tif 000015
【図１３】
2005152402.tif 000016
【図１４】
2005152402.tif 000017
【図１５】
2005152402.tif 000018
【図１６】
2005152402.tif 000019